(57)【特許請求の範囲】
【請求項１】
物品販売装置の景品を収容するバケットの正面側内壁に装着される物品表示用具であって、
所定の文字、図形等を表示した表示面と、当該表示面の一部を切り欠くことによって形成した窓部とを備えた紙若しくは合成樹脂による表示シートを備え、
前記窓部を形成した部位の前記表示面の反対面である前記表示シート裏面下部には、前記窓部を開口とする所定の物品を収容するための収容部が設けられ、当該収容部の上部壁が上方から下方に向かう傾斜面となっており、
前記収容部は、前記表示シートが前記物品販売装置のバケットの正面側内壁に装着されると、バケット内に突出し、前記傾斜面となっている上部壁が景品の下降を妨げないようになっており、さらに、前記窓部を介して収容部に収容した物品を視認することができるようになっていることを特徴とする物品表示用具。
【請求項２】
物品販売装置の景品を収容するバケットの正面側内壁に装着される物品表示用具であって、
所定の文字、図形等を表示した表示面と、切り欠き若しくは透明素材によって形成された窓部を形成した表示シートと、
前記表示シート下部の窓部と対向する位置に所定の物品を収容可能な物品収容部であって、当該物品収容部の上部壁が上方から下方に向かう傾斜面となっている物品収容部を設けた背面部材とを備え、
前記物品収容部は、前記表示シートの裏面に背面部材を配置した状態で、前記物品販売装置のバケットの正面側内壁に装着されると、バケット内に突出し、前記傾斜面となっている上部壁が景品の下降を妨げないようになっており、さらに、前記窓部を介して前記背面部材の物品収容部に収容した物品を視認することができるようになっていることを特徴とする物品表示用具。
【請求項３】
物品販売装置の景品を収容するバケットの正面側内壁に装着される物品表示用具であって、
透明素材により形成された表面パネルと、
所定の文字、図形等を表示した表示面と、切り欠き若しくは透明素材によって形成された窓部を形成した表示シートと、
前記表示シート下部の窓部と対向する位置に所定の物品を収容可能な物品収容部であって、当該物品収容部の上部壁が上方から下方に向かう傾斜面となっている物品収容部を設けた背面部材とを備え、
前記表面パネルと前記表示シートと前記背面部材のいずれかの部材若しくはそれぞれの部材には、当該各部材を互いに重ね合わせて結合させるための結合手段が設けられており、
前記物品収容部は、前記各部材を重ね合わせた状態で、前記物品販売装置のバケットの正面側内壁に装着されると、バケット内に突出し、前記傾斜面となっている上部壁が景品の下降を妨げないようになっており、さらに、表面パネルを介して、前記表示面の表示内容と前記物品収容部に収容した物品を視認することができるようになっていることを特徴とする物品表示用具。
【発明の詳細な説明】
【０００１】
【発明の属する技術分野】
本願発明は、物品販売装置や景品取得装置等に使用され、当該装置によって取得可能な物品の内容を表示する物品表示用具に関する。
【０００２】
【従来の技術】
従来、物品販売装置や景品取得装置等において、利用者に対して取得可能な物品を知らせる手段として、物品に関する情報を印刷した印刷物が用いられていた。前記印刷物は、販売等される物品の種類に応じて交換されるもので、利用者はその印刷物の表示を見て、どのような物品が取得できるのかを知ることができるようになっている。
【０００３】
【発明が解決しようとする課題】
しかし、前記印刷物のみでは物品の内容を十分に表現できない場合がある。すなわち、印刷によって表現されたものでは、実際の物品が有する細かいディテール、色合い、質感といったものが利用者に伝わらず、実際の物品を見ればそれを取得しようとする利用者であっても、印刷物を単に見ただけでは購買意欲を発揮しない場合がある。
【０００４】
本願発明は上記の点に鑑み発明されたものであって、物品販売装置や景品取得装置、その他販売等を行う物品の内容を表示する必要のある装置に用いられ、物品の内容を示す表示を設けるとともに実際の物品も合わせて展示可能な物品表示用具を提供することをその課題とする。
【０００５】
【課題を解決するための手段】
上記課題を解決するために、本願請求項１記載の発明は以下の構成を有する。すなわち、
物品販売装置の景品を収容するバケットの正面側内壁に装着される物品表示用具であって、
所定の文字、図形等を表示した表示面と、当該表示面の一部を切り欠くことによって形成した窓部とを備えた紙若しくは合成樹脂による表示シートを備え、
前記窓部を形成した部位の前記表示面の反対面である前記表示シート裏面下部には、前記窓部を開口とする所定の物品を収容するための収容部が設けられ、当該収容部の上部壁が上方から下方に向かう傾斜面となっており、
前記収容部は、前記表示シートが前記物品販売装置のバケットの正面側内壁に装着されると、バケット内に突出し、前記傾斜面となっている上部壁が景品の下降を妨げないようになっており、さらに、前記窓部を介して収容部に収容した物品を視認することができるようになっていることを特徴とする物品表示用具。
【０００６】
また、請求項２記載の発明は以下の構成を有する。すなわち、
物品販売装置の景品を収容するバケットの正面側内壁に装着される物品表示用具であって、
所定の文字、図形等を表示した表示面と、切り欠き若しくは透明素材によって形成された窓部を形成した表示シートと、
前記表示シート下部の窓部と対向する位置に所定の物品を収容可能な物品収容部であって、当該物品収容部の上部壁が上方から下方に向かう傾斜面となっている物品収容部を設けた背面部材とを備え、
前記物品収容部は、前記表示シートの裏面に背面部材を配置した状態で、前記物品販売装置のバケットの正面側内壁に装着されると、バケット内に突出し、前記傾斜面となっている上部壁が景品の下降を妨げないようになっており、さらに、前記窓部を介して前記背面部材の物品収容部に収容した物品を視認することができるようになっていることを特徴とする物品表示用具。
【０００７】
また、請求項３記載の発明は以下の構成を有する。すなわち、
物品販売装置の景品を収容するバケットの正面側内壁に装着される物品表示用具であって、
透明素材により形成された表面パネルと、
所定の文字、図形等を表示した表示面と、切り欠き若しくは透明素材によって形成された窓部を形成した表示シートと、
前記表示シート下部の窓部と対向する位置に所定の物品を収容可能な物品収容部であって、当該物品収容部の上部壁が上方から下方に向かう傾斜面となっている物品収容部を設けた背面部材とを備え、
前記表面パネルと前記表示シートと前記背面部材のいずれかの部材若しくはそれぞれの部材には、当該各部材を互いに重ね合わせて結合させるための結合手段が設けられており、
前記物品収容部は、前記各部材を重ね合わせた状態で、前記物品販売装置のバケットの正面側内壁に装着されると、バケット内に突出し、前記傾斜面となっている上部壁が景品の下降を妨げないようになっており、さらに、表面パネルを介して、前記表示面の表示内容と前記物品収容部に収容した物品を視認することができるようになっていることを特徴とする物品表示用具。
【０００８】
【発明の実施の形態】
［第１実施形態］
以下、本願発明に係る一実施の形態を説明する。図１は、本願発明に係る物品表示用具の各部材の内容を示す分解斜視図であり、図２は同物品表示用具の使用状態を示したものである。
図１において、１は本願発明に係る物品表示用具を示しており、当該物品表示用具１は、表面パネル３と表示シート５と背面部材７とから構成されている。
表面パネル３は、透明な合成樹脂素材による薄板体であり、本実施の形態では表示シート５と背面部材７の外形形状に合わせて方形を成している。また、表面パネル３の左右両端には端縁を折り返した折返部９が形成されており、後述するように表示シート５と背面部材７とを保持し結合するための結合手段となっている。
【０００９】
表示シート５は、紙若しくは合成樹脂素材によって形成された方形のシートであり、その表面は所定の文字、図形等が印刷された表示部１１となっている。当該表示部１１には、例えば図２に示す物品販売装置１３によって販売される物品を示す表示が印刷されている。本実施の形態では、「のりもの」として走行玩具の表示が行われている。
また、表示シート５の下側部分であって、やや中央よりの部位には、窓として２つの孔１５、１５が設けられている。当該孔１５、１５は表示シートを部分的に切り欠いて形成した部位であり、本実施の形態では方形に形成されている。
【００１０】
背面部材７は、合成樹脂素材によって形成されており、その外形は前記表示シート５と略同一形状の方形を成している。また、背面部材７は、所謂ブリスターと称される手法により一部に２つの凹部１７、１７を形成した板状の平面部１９を備えた部材である。
本実施の形態では前記凹部１７、１７は、表示シート５と背面部材７を外形を揃えて重ね合わせた際に、その凹部１７、１７の開口部となる部分が孔１５、１５と一致する位置に形成されている。
また、前記凹部１７、１７は、一例として販売される走行玩具等の物品を収容することが可能な程度の容積を備え、物品が載置される面（凹部１７内の下側の内壁）は、載置される物品の姿勢を保つために、平面部１９に対して略直角をなす平面状に形成されている。
【００１１】
以上説明した表面パネル３と表示シート５と背面部材７は、互いに重ね合わせて固定することができるようになっている。
すなわち、表面パネル３を前面側に配置し、次に表面パネル３の折返部９によって形成され狭持部に表示シート５の左右側縁を狭持させ、さらにその背部から背面部材７の平面部１９の左右側縁を狭持させることにより、表面パネル３に対して表示シート５を中間に挟んだ状態で背面部材７が取り付けられるようになっている。以上の構成によって、物品表示用具１が形成される。
なおこの際、背面部材７の凹部１７、１７に対して物品を収容することにより、表面パネル３が表示シート５の孔（窓）１５、１５を介して凹部１７、１７の開口部を塞ぐとともに、収容した物品を視認することができるようになっている。
【００１２】
上記のように構成した物品表示用具１は、例えば図２に示すような物品販売装置１３に用いられる。物品販売装置１３は、株式会社バンダイの製造による球形カプセルに収容した玩具等を販売するための装置である。当該物品販売装置１３は、上下に同機能を備えた販売装置を重ねて一体と成したものでり、それぞれの販売装置には販売する景品（カプセル）を収容する透明素材によって形成されたバケット２１、２１が設けられている。このバケット２１は販売装置から取り外し可能な部材であり、物品供給の際や内部機構のメンテナンスの際に取り外すことができるようになっているものである。
また、バケット２１の正面側内壁には物品表示用の印刷物が装着部（図示せず）によって装着可能となっている。当該装着部を利用して、本願発明に係る前記物品表示用具１も取り付けが可能となっており、物品表示用具１を装着することで、バケット２１の前面壁２３を介して外部から物品表示用具１を視認できるようになっている。
【００１３】
本願発明に係る物品表示用具１は、前記のようにバケット２１の前面壁２３の内壁に装着し、実際に販売される物品としてカプセル内に収容されている玩具等（例えば走行玩具）を物品表示用具１の凹部１７に収容しておくことで、バケット２１の前面壁２３を介して、利用者に実際の物品を見せることができるようになっている。
このように本願発明に係る物品表示用具１を用いることにより、利用者に対して実際に販売される物品を見せ、単に印刷物等によって物品を表示するのと比較して購買意欲を発揮させることができるようになっている。
【００１４】
［第２実施形態］
次に本願発明に係る物品表示用具の他の実施形態を、図３乃至図４を用いて説明する。
図３において、４１は本実施形態に係る物品表示用具を表している。本実施形態に係る物品表示用具４１は、表面パネル４３と表示シート４５と背面部材４７とから構成されている。なお、表面パネル４３と表示シート４５については、前記第１の実施形態に係る表面パネル３と表示シート５とその形態および機能が全く同一であるので、詳細な説明を省略する。
また、背面部材４７も前記第１の実施形態に係る背面部材７と凹部５７の形状を除き、他の形態および機能は前記収容部１７と全く同一である。
【００１５】
本実施の形態では、前記の通り背面部材４７の凹部５７の形状が前記の例と異なる。この相違点は、凹部５７の上部壁５８が上方から下方に向かう傾斜面となっている点である。
以下、上記の構造を採用した理由を説明する。図４は、本実施形態に係る物品表示用具４１を物品販売装置５３のバケット６１内に装着した状態を示したものである。すなわち、同図に示すように、物品表示用具４１の凹部５７（正確には凹部５７の反対側面）はバケット６１内に突出する状態となるため、直接物品を収容したカプセル７１と接触することになる。
従って、凹部５７がバケット６１内で撹拌、排出されるカプセル７１の動きを妨げる場合がある。特に、カプセル７１の排出部はバケット６１の底部にあるため、下方に向かって降下するカプセル７１の動きを妨げないようにする必要がある。以上の点に鑑み、バケット６１内に突出した凹部５７の上部壁５８を上方から下方に向かう傾斜面とし、カプセル７１の下降を妨げない構造を採用している。
【００１６】
【実施例】
以下、本願発明の他の実施例を説明する。
［第１実施例］
前述の２つの実施の形態では、物品表示用具を表面パネル３（４３）と表示シート５（４５）と背面部材７（４７）とによる３つの部材から構成されている例を説明した。
しかし、本願に係る物品表示用具としての機能を果たすためには、印刷等を行った表示部と、実際の物品が展示表示できる機能を備えていればよい。したがって、前述の表面パネルに相当する部材および背面部材を用いず、表示シートのみによって構成することもできる。
すなわち、表示シートにはシートを切り欠くことによって窓部を設け、当該窓部の裏面側に前記背面部材の凹部に相当する部材を固着し、表示シート自体を窓部を有した収容部（凹部）を備えた構造とする。なお、このままでは、開口した窓部を塞ぐ部材が用意されていないために凹部に収容した物品が窓から落ちてしまう可能性があるが、実際に使用する場合には前記図４に示すようにバケットの内面壁に固定させるため、バケットの内面壁によって窓部が塞がれるので、使用状態では物品は脱落しない。
以上のように、表示シートの構造を上記構造とすることで、前記実施の形態と同様に実際に販売する物品を見せることが可能な物品表示用具を提供することができる。
【００１７】
［第２実施例］
また、前述の２つの実施の形態では、物品表示用具を表面パネル３（４３）と表示シート５（４５）と背面部材７（４７）とによる３つの部材から構成されている例を説明した。
しかし、本願に係る物品表示用具としての機能を果たすためには、印刷等を行った表示部と、実際の物品が展示表示できる機能を備えていればよい。したがって、前述の表面パネルに相当する部材をなくし、表示シートと背面部材に相当する部材だけで構成することが出来る。
ただし、この際には表示シートに設けた窓部から背面部材の凹部に収容した部品が落ちないようにするため、当該窓に透明なフィルムを貼って塞ぐ方法を採用してもよい。また、表示シート自体を透明な合成樹脂シートで形成して印刷部と非印刷部を設け、非印刷部と凹部を対向させることで、非印刷部（透明部）を介して凹部内を視認可能に形成することもできる。
なお、表示シートと背面部材は、着脱可能であり凹部に対して物品を収容したり、収容した物品を取り替えることができるようにすることが望ましい。
以上の構成を採用することで、前記実施の形態と同様に実際に販売する物品を見せることが可能な物品表示用具を提供することができる。
【００１８】
［第３実施例］
また、前述の２つの実施の形態では、物品表示用具を表面パネル３（４３）と表示シート５（４５）と背面部材７（４７）とによる３つの部材から構成されている例を説明した。
しかし、本願に係る物品表示用具としての機能を果たすためには、印刷等を行った表示部を設けるととともに、実際の物品を展示表示できるものであればよい。
したがって、前述の例では表示シートと背面部材とを別部材として形成し重ね合わせる構成としていたが、表示シートの窓部背面側に前記凹部のみに相当する部材を形成し、作用として表示シートと背面部材とを一体にしたような形状の表示シートを採用することもできる。この場合、２部材を結合させる方式でもよいし、前述の背面部材と同様の形態を成す部材の平面部に印刷等を施し表示シートと同様の機能を持たせるような方式でもよい。
そして、このように形成した表示シートと表面パネルを着脱自在に重ね合わせる構成とすることで、前述の実施形態と同様の機能を備えた物品表示用具を提供することができる。
【００１９】
【発明の効果】
以上説明したように本願発明に係る物品表示用具は以下に述べる効果を有する。すなわち、販売機等において、印刷物のみでは販売する物品の内容を十分に表現できない場合であっても、当該印刷物（または印刷物の相当する表示）と実際の物品を合わせて表示することができるので、物品の有する細かいディテール、色合い、質感といったものが利用者に伝えることができ、購買意欲を発揮させることができるという効果を有している。
【図面の簡単な説明】
【図１】本願発明に係る物品表示用具の構成を示す分解斜視図である。
【図２】本願発明に係る物品表示用具の使用状態を示す説明図である。
【図３】本願発明に係る他の実施形態による物品表示用具の分解斜視図である。
【図４】本願発明に係る他の実施形態による物品表示用具の使用状態を示す説明図である。
【符号の説明】
１  物品表示用具
３  表示パネル
５  表示シート
７  背面部材
９  折返部（結合手段）
１１  表示部
１３  物品販売装置
１５  孔
１７  凹部
１９  平面
２１  バケット
２３  前面壁
【図１】
0004113340.tif 000002
【図２】
0004113340.tif 000003
【図３】
0004113340.tif 000004
【図４】
0004113340.tif 000005